(57)【特許請求の範囲】
【請求項１】
光学部と、該光学部に一体的に形成され前記光学部を眼内で支持するための一対の支持部とを備える折り曲げ可能な眼内レンズにおいて、
前記支持部は、
前記光学部に連結される前記支持部の基端に形成され前記支持部全体を撓ませるための基点となる第１括れ部と，
前記支持部の先端から所定の長さだけ撓ませるための基点とするために前記第１括れ部と前記支持部の先端との間に形成される第２括れ部と，
を有し、
前記第２括れ部が形成された位置における前記支持部の幅は前記第１括れ部が形成された位置における前記支持部の幅よりも狭くなるように，又は、前記第２括れ部の位置での前記支持部の断面積は前記第１括れ部の位置での前記支持部の断面積に比べて小さくなるように形成され、
前記第１括れ部から前記第２括れ部に向かう支持部の幅に対して前記第２括れ部から前記先端に向かう支持部の幅が狭くなっている、
ことを特徴とする眼内レンズ。
【請求項２】
請求項１の眼内レンズにおいて、前記第２括れ部は，前記支持部の先端から前記第２括れ部に至る先端部が前記眼内レンズの押出方向と平行となるまで折り曲げられたときに、前記支持部の先端が前記光学部の中心部に届かない長さとされるように，前記支持部上に形成されることを特徴とする眼内レンズ。
【請求項３】
押出棒を用いてインジェクター内で折り畳まれる眼内レンズであって，光学部と、該光学部に一体的に形成され前記光学部を眼内で支持するための一対の支持部とを備える折り曲げ可能な眼内レンズにおいて、
前記支持部は、
前記光学部に連結される前記支持部の基端に形成され前記支持部全体を撓ませるための基点となる第１括れ部と，
前記支持部の先端から所定の長さだけ撓ませるための基点とするために前記第１括れ部と前記支持部の先端との間に形成される第２括れ部と，
を有し、
前記第２括れ部が形成された位置における前記支持部の幅は前記第１括れ部が形成された位置における前記支持部の幅よりも狭くなるように，又は、前記第２括れ部の位置での前記支持部の断面積は前記第１括れ部の位置での前記支持部の断面積に比べて小さくなるように形成され、
前記押出棒が前記支持部に接触する部分における支持部の幅が，前記第１括れ部から前記第２括れ部に向かう支持部の幅に対して狭くなっている、
ことを特徴とする眼内レンズ。
【発明の詳細な説明】
【技術分野】
【０００１】
本発明は、被検者眼の眼内に設置する眼内レンズに関する。
【背景技術】
【０００２】
従来、白内障の手術方法の一つとして水晶体を摘出した後、水晶体の代わりとして屈折力を持った光学部と、光学部を眼内で支える一端が開放されたループ状の支持部を持つ眼内レンズを挿入する手法が一般的に用いられている。このような眼内レンズは、患者眼に設けられる切開創から眼内に挿入されるため、患者眼の切開創をできるだけ小さくするように、折り曲げ可能な柔軟性と、もとの状態に復元可能な弾性とを備える素材にて、光学部と支持部とが一体的に形成されたワンピース型の眼内レンズが知られている（例えば、特許文献１参照）。また、このような眼内レンズの挿入では、インジェクターと呼ばれる眼内レンズ挿入器具を用いて眼内レンズを折り曲げた（折り畳んだ）状態で眼内に挿入させる技術が知られている（例えば、特許文献２参照）。折り曲げられた状態で眼内に挿入された眼内レンズは、眼内で開くことでもとの形状に復元し、水晶体が除去された水晶体嚢等に設置される。
【先行技術文献】
【特許文献】
【０００３】
【特許文献１】特表２００５−５０７２８６号公報
【特許文献２】特開２００６−３３３９２４号公報
【発明の概要】
【発明が解決しようとする課題】
【０００４】
ところで、前述したようなワンピース型の眼内レンズは、インジェクターによる折り曲げ作業によって支持部を折り曲げた状態で光学部上に位置させながら光学部とともに一体的に折り畳まれることが多い。そして、インジェクターから送出された眼内レンズは水晶体が取り除かれた嚢内で広げられ、支持部によって眼内で好適に配置される。このように支持部を光学部上に位置させながら折り畳むことにより、折り畳み時に生じやすい支持部のねじれが抑制され、眼内において好適に解放動作が行われる。しかしながら、眼内レンズの折り畳みの際に光学部と支持部とを一体的に折り畳むことは、折り畳んだ際の押出方向での眼内レンズの断面積が大きくなり、眼内レンズが送出されにくくなる要因となる、またこのような問題はインジェクター側の送出路の径を大きくすることで解消することができるが、インジェクターの先端部外径が大きくなるため、被検者眼の切開創を大きくしなければならない、という新たな問題が生じてしまう。
【０００５】
本発明は、上記従来技術の問題点に鑑み、支持部を光学部とともに一体的に折り畳むことによる押出方向での眼内レンズの断面積の増加を抑制することができ、インジェクターからの送出、嚢内への配置を好適に行うことができる眼内レンズを提供することを技術課題とする。
【課題を解決するための手段】
【０００６】
上記課題を解決するために、本発明は以下のような構成を備えることを特徴とする。
（１）  光学部と、該光学部に一体的に形成され前記光学部を眼内で支持するための一対の支持部とを備える折り曲げ可能な眼内レンズにおいて、前記支持部は、前記光学部に連結される前記支持部の基端に形成され前記支持部全体を撓ませるための基点となる第１括れ部と，前記支持部の先端から所定の長さだけ撓ませるための基点とするために前記第１括れ部と前記支持部の先端との間に形成される第２括れ部と，を有し、前記第２括れ部が形成された位置における前記支持部の幅は前記第１括れ部が形成された位置における前記支持部の幅よりも狭くなるように，又は、前記第２括れ部の位置での前記支持部の断面積は前記第１括れ部の位置での前記支持部の断面積に比べて小さくなるように形成され、前記第１括れ部から前記第２括れ部に向かう支持部の幅に対して前記第２括れ部から前記先端に向かう支持部の幅が狭くなっている、ことを特徴とする。
（２）  押出棒を用いてインジェクター内で折り畳まれる眼内レンズであって，光学部と、該光学部に一体的に形成され前記光学部を眼内で支持するための一対の支持部とを備える折り曲げ可能な眼内レンズにおいて、前記支持部は、前記光学部に連結される前記支持部の基端に形成され前記支持部全体を撓ませるための基点となる第１括れ部と，前記支持部の先端から所定の長さだけ撓ませるための基点とするために前記第１括れ部と前記支持部の先端との間に形成される第２括れ部と，
を有し、前記第２括れ部が形成された位置における前記支持部の幅は前記第１括れ部が形成された位置における前記支持部の幅よりも狭くなるように，又は、前記第２括れ部の位置での前記支持部の断面積は前記第１括れ部の位置での前記支持部の断面積に比べて小さくなるように形成され、前記押出棒が前記支持部に接触する部分における支持部の幅が，前記第１括れ部から前記第２括れ部に向かう支持部の幅に対して狭くなっている、ことを特徴とする。
【発明の効果】
【０００７】
本発明によれば、支持部を光学部とともに一体的に折り畳むことによる押出方向での眼内レンズの断面積の増加を抑制することができ、インジェクターからの送出、嚢内への配置を好適に行うことができる。
【発明を実施するための形態】
【０００８】
以下に本発明の実施の形態を図面に基づき説明する。図１は本発明の一実施形態である眼内レンズ１００の構成を説明する図である。図１（ａ）は正面図、図１（ｂ）は側面図である。眼内レンズ１００は所定の屈折力を有する光学部１１０と、光学部１１０を眼内で支持するための一対の支持部１２０からなる。支持部１２０は、一端が自由端のループ形状とされる。
【０００９】
本実施形態の光学部１１０及び支持部１２０は、ＨＥＭＡ（ヒドロキシエチルメタクリレート）等の単体、アクリル酸エステルとメタクリル酸エステルの複合材料等、折り曲げ可能であると共に、嚢内で眼内レンズ１００が固定されるために必要となる反発力を有する軟性眼内レンズ用の材料から形成されている。眼内レンズ１００は、前述した眼内レンズ材料を使用し、光学部１１０と支持部１２０を切削加工、モールディング加工等で一体的に形成する１ピース型の眼内レンズとされる。
【００１０】
光学部１１０は円盤状の部材であり、所定の曲率を持つ凸面で形成された前面１１１と、所定の曲率を持つ凸面で外周部（周縁部）にエッジ部１１５が形成された後面１１２とを備える。エッジ部１１５は、少なくとも光学部１１０周縁の後方側に形成され、眼内レンズ１００が患者眼の嚢内に設置された際に、後嚢に接触するか又は食い込む程度の形状（角度）を有する。エッジ部１１５が後嚢に密着することにより、後発白内障を抑制する。具体的には、嚢に接触したエッジ部１１５が、光学部１１０の周辺から遊走してくる細胞を後面１１２側に入り込むことを抑制し、後面１１２後方の後嚢に細胞由来の白濁が起こりにくいようにしている。
【００１１】
嚢内で光学部１１０を支えるための支持部１２０は、一端が自由端とされ、他端（基端）が光学部１１０に繋げられている。また、支持部１２０は、光学部１１０の中心（光軸Ｌ）を介して向き合うように置かれ、所定の長さだけ放射状に延びるように形成されている。また、支持部１２０は所定角度だけ光軸Ｌ回りに折り曲げられた状態で先端に向けて内側に湾曲しながら延びている。これにより、後述する眼内レンズの射出時において、嚢内で眼内レンズ１００が開くときに、支持部１２０が回転しにくくなる。
【００１２】
支持部１２０の長さは、支持部１２０の根元Ｒでの幅ｗａの中間点ｗ１と光学部１１０の中心（光軸Ｌ）とを結ぶ線分と、支持部１２０の先端Ｐと光学部１１０の中心とを結ぶ線分とのなす角θが５０°以上９０°以下となるように形成される。角θが５０°未満であると、水晶体嚢と支持部１２０との接触が十分ではなく眼内レンズを安定して支持させることが難しい。また、角θが９０°を超えると、支持部１２０が長くなりすぎてしまい、後述する眼内レンズ挿入器具の使用において支持部１２０が絡みやすくなる。
【００１３】
また、支持部１２０の内側（眼内レンズ１００を眼内に配置したときに嚢に接触しない側）において、先端Ｐと根元Ｒとの間には括れ部１２５が、光学部１１０との接続位置である根元Ｒ付近には括れ部１２６が形成されている。２箇所の括れ部１２５、１２６は前後の支持部１２０の幅よりも細くなるように内側（内周）が括れることにより形成されている。なお、本実施形態では括れ部１２５は、前後の支持部１２０の幅よりも狭くなるように内側が括れている形状としているが、これに限るものではない。支持部１２０の先端付近に所定の応力が加わった際に、支持部１２０の途中を基点として折り曲げられる（撓む）ような作用を得ることのできる形状であればよい。例えば、図６に示すように、先端から基端へ向かう支持部１２０の幅が、途中で狭くなることなく同程度の幅で所定の長さだけ維持され、そこから幅が急激に広がるように変化するように形成された内周形状部分であってもよい。このような内周形状部分も本実施形態でいう括れ部に含まれる。
【００１４】
なお、支持部１２０において、括れ部１２５の位置の幅は括れ部１２６の位置の幅よりも狭く（細く）なるように形成される。又は、支持部１２０を括れ部１２５、１２６のそれぞれの位置で切断して見たときに、括れ部１２５の位置での断面積は、括れ部１２６の位置での断面積に比べて小さくなるように形成される。
【００１５】
ここで、括れ部１２５から先端Ｐまでを支持部１２０の先端部１２１ａ、括れ部１２５から括れ部１２６までを支持部１２０の後端部１２１ｂとすると、括れ部１２５の幅は先端部１２１ａの幅ｗｂよりも若干狭く、括れ部１２６の幅は後端部１２１ｂの幅ｗｃより若干狭くなっている。なお、先端部１２１ａの幅ｗｂは好ましくは０．１ｍｍ〜０．６ｍｍ、より好ましくは０．２ｍｍ〜０．５ｍｍである。また後端部１２１ｂの幅ｗｃは幅ｗｂよりも広くされており、好ましくは０．６ｍｍ〜１．５ｍｍ、より好ましくは０．７ｍｍ〜１．１ｍｍである。また、先端部１２１ａ及び後端部１２１ｂの厚さ（光学部の光軸方向における支持部厚さ）は、同程度であってもよいが、後端部１２１ｂの厚さに対して先端部１２１ａの厚さを若干薄くすることもできる。先端部１２１ａの厚さは好ましくは０．２ｍｍ〜０．５ｍｍ、より好ましくは０．３ｍｍ〜０．４ｍｍである。また、後端部１２１ｂの厚さは、０．３ｍｍ〜０．６ｍｍ、好ましくは０．４ｍｍ〜０．５ｍｍである。
【００１６】
このような構成のため、支持部１２０先端に所定の応力が加えられると、括れ部１２５を基点として支持部１２０の先端部１２１ａ、が曲げられ、支持部１２０の先端部１２１ａから後端部１２１ｂ付近まで一様に所定の応力が加えられると、括れ部１２６を基点として支持部１２０全体が折り曲げられる（撓る）こととなる。
【００１７】
眼内レンズ１００の最外径（最大全長）は、嚢内に眼内レンズ１００を設置した際に支持部１２０の外側から内側に向かって好適な応力がかかる程度の大きさとされ、好ましくは９mm以上１５mm以下である。また、光学部１１０の直径は、瞳孔の大きさに基づいて設定され、好ましくは４mm以上８mm以下とされる。前述した支持部１２０の長さを規定する角θの条件と合わせて、これらの条件を満足するように支持部１２０の形状が設定される。なお、患者眼の嚢の径を予め所定値（例えば直径１０ｍｍ）に設定したとすると、眼内レンズ１００の最外径は所定値より十分長い径（例えば１１ｍｍ〜１５ｍｍ程度）とされる。このとき、支持部１２０は、支持部の先端から括れ部１２５と括れ部１２６の間までの外周が光学部１１０の中心から所定値にて定めた円周（設定した嚢の径）よりも外側に位置するように設計される。なお、括れ部１２５と括れ部１２６との間に形成される支持部１２０の外周全てが設定した嚢の径よりも外側に位置する必要はなく、括れ部１２５と括れ部１２６との間に形成される支持部１２０の外周部分のうち先端側からみて半分程度が設定した嚢の径よりも外側に位置する設計であってもよい。
【００１８】
次に、眼内レンズ１００を患者眼に挿入するための眼内レンズ挿入器具１（インジェクター）について説明する。図２は本実施の形態で使用する眼内レンズ挿入器具１の外観を示した概略外観図である。図２（ａ）は眼内レンズ挿入器具１を上方から、図２（ｂ）は側方から見た状態を示している。
【００１９】
眼内レンズ挿入器具１は、眼球に挿入する側から順に、眼球に形成される切開創に挿入する挿入部を備え、眼内レンズ１００（図１参照）を設置するための載置部が設けられたレンズ保持部１０（以下、カートリッジという）と、先端にカートリッジ１０を装着する筒部２０と、カートリッジ１０及び筒部２０の内部を挿通し、筒部２０に装着されたカートリッジ１０先端から眼内レンズ１００を外部に押し出すための押出機構部３０、とからなる。
【００２０】
図３はカートリッジ１０の構成図である。図３（ａ）は斜視図、図３（ｂ）はカートリッジ１０を上方から見た状態である。カートリッジ１０は先端に向かうにしたがって、その径が徐々に小さく（細く）なるテーパ形状を有する挿入部１１と、眼内レンズ１００を設置する載置部１２とが一体的に形成されている。なお、カートリッジ１０は、その全体が合成樹脂にて形成されており、一度の使用で廃棄する使い捨てタイプとなっている。
【００２１】
挿入部１１は中空の筒形状となっており、折り畳まれた眼内レンズ１００がこの中空部分を通して外部に送り出されるようになっている。また、載置部１２は、２つの半割部材１２ａ，１２ｂから形成されており、図３（ａ）に示すように半割部材１２ａ及び１２ｂの下縁同士がヒンジ部１３によって連結され、開閉可能となっている。１４ａ及び１４ｂは半割部材１２ａ，１２ｂに各々設けられた載置台であり、眼内レンズ１００を載せる載置面の形状（壁面形状）は、眼内レンズ１００を折り曲げる方向に沿った曲面を有している。また、挿入部１１の載置部１２側には、眼内レンズ１００の支持部１２０の一方を当接させるための押え部１９が設けられている。
【００２２】
半割部材１２ａ及び１２ｂを閉じ合わせると、載置台の壁面形状（載置面形状）が変形し、挿入部１１の基端側開口形状（半円形状）と略一致するようになっている。また、半割部材１２ａ，１２ｂが閉じ合ったときの載置部１２の外形は、筒部２０の内壁形状と略一致するようになっている。半割部材１２ａの側面には、使用者がカートリッジ１０を持つ際に把持する平板状の把持部１６が設けられている。１５ａ及び１５ｂは半割部材１２ａ，１２ｂの各々に設けられたカバーであり、半割部材１２ａと半割部材１２ｂとが閉じ合ったときに、載置台１４ａ及び載置台１４ｂの上方を覆うように形成されている。
【００２３】
このような構成を備えるカートリッジ１０は、載置部１２が開いた状態（２つの半割部材が離れている状態）のときに、眼内レンズ１００を載置台１４ａ及び載置台１４ｂ上にセットし、その後、カートリッジ１０を筒部２０に装着することによって、判割部材１２ａと半割部材１２ｂとが閉じ合い、眼内レンズ１００を折り畳むことができる。使用する眼内レンズは前述したように、既存する折り曲げ可能な眼内レンズを用いることができる。
【００２４】
図４は筒部２０の外観構成を示した斜視図である。筒部２０の先端には、カートリッジ１０を着脱するための装着部２１が設けられている。装着部２１は筒部２０の先端を略半割した形状であり、その先端には凸部２２が、基端には凹部２３が筒部２０の中心を挿通する押出棒３１に対して左右対称に各々形成されている。また、凸部２２は筒部２０の中心軸よりも若干上方に位置しており、左右に設けられた凸部２２間の距離は、筒部２０の内径よりも若干狭く（短く）なっている。このような凸部２２の形状は、カートリッジ１０を装着部２１に装着する際に開かれている半割部材１２ａ，１２ｂを閉じ合わせる方向に規制し、その幅を制限するガイドの役目を果たすとともに、装着されたカートリッジ１０を係止し、容易に筒部２０から外れないようにするスナップイン構造を有している。なお、装着部２１の左右の縁部もまた凸部２２と同様に半割部材を閉じ合わせる方向に規制するガイドの役目を果たしている。
【００２５】
以上のような構成を備える眼内レンズ挿入器具において、その動作について説明する。使用者（術者）は、図３に示したカートリッジ１０の挿入部１１、載置台１４ａ及び１４ｂにヒアルロン酸等の粘弾性物質を十分に充填させる。粘弾性物質により、眼内レンズ１００が眼内レンズ挿入器具１の内部から嚢内へとスムーズに移動されるようになる。
【００２６】
次に、使用者は眼内レンズ１００を載置台１４ａ，１４ｂ上に載せる。この時、図３（ｂ）に示すように、眼内レンズ１００の前側の支持部１２０が挿入部１１側となるように配置する。把持部１６を一方の手で掴んでカートリッジ１０を持ち、装着部２１に設けられた凹部２３にカートリッジ１０の把持部１６（基端側）を嵌合させつつ、載置部１２（半割部材１２ａ，１２ｂ）の底面を凸部２２（または装着部２１の左右の縁部）に押し付けるようにする。載置部１２の底面（下部）を凸部２２（または装着部２１の左右の縁部）に押し付けることにより、凸部２２が半割部材１２ａと半割部材１２ｂとを閉じ合わせるようにガイドすることとなる。さらに載置部１２を装着部２１内に押し込んでいくと、カートリッジ１０は半割部材１２ａと半割部材１２ｂとが閉じ合った状態で装着部２１に装着されることとなる。
【００２７】
このように半割部材１２ａと半割部材１２ｂとが閉じ合った状態では、載置台１４ａと載置台１４ｂとの幅（間隔）が狭くなっているため、載置台の壁面にて眼内レンズ１００を左右方向から押されることとなる。その結果、眼内レンズ１００に応力が掛けられた状態となり、眼内レンズ１００は載置台１４ａ，１４ｂの壁面（載置面）に沿って若干折り曲げられることとなる。
【００２８】
装着部２１にカートリッジ１０を装着後、眼内レンズ挿入器具１を操作して眼内レンズ１００の挿入動作を行う。押出機構３０の押出棒３１を筒部２０の内部で先端に向かって移動させる。この時、押出棒３１により後側の支持部１２０の先端付近を押していくことにより、後側の支持部１２０が括れ部１２５を基点として折り曲げられる。
【００２９】
ところで、光学部１１０が載置台１４ａ，１４ｂの壁面（載置面）に沿って若干折り曲げられることにより、支持部１２０も載置台１４ａ，１４ｂの壁面に沿って湾曲する場合がある。この状態で、後側の支持部１２０を押出棒３１で押していくと、先端部１２１ａの一部が押出棒３１と光学部１１０のエッジ部１１５との間に挟まれた状態となる（図５（ａ）参照）。一方、支持部１２０が壁面に沿わない場合は、押出棒３１が光学部１１０のエッジ部１１５に当接されるときに、押出棒３１から支持部１２０が外れることで、先端部１２１ａの一部が光学部１１０上に載せられる。
【００３０】
これにより眼内レンズ１００全体が前方の挿入部１１に押されていく。この時、粘弾性物質によって、眼内レンズ１００の押出し方向（前後方向）に圧力が加えられることにより、前側の支持部１２０は括れ部１２５を基点として折り曲げられ、次第に先端部１２１ａが光学部１１０の周縁部分に載せられるようになる。
【００３１】
図５（ａ）に支持部１２０の先端Ｐが光学部１１０上に載せられた状態を示す。また、図５（ｂ）に光軸Ｌを通り、眼内レンズ１００を押出方向に対して垂直な断面Ｂで見たときの断面図を示す。眼内レンズ１００を押出方向に対して垂直な断面で見ると、光学部１１０の光軸Ｌの位置（中央位置）での断面積Ｓ１が最大値となる。そのため、この光軸Ｌ１付近に支持部１２０が載せられると、支持部１２０の厚さの分だけ眼内レンズ１００の押出時の断面積の最大値が増加するので、眼内レンズ１００が射出されにくくなる。
【００３２】
そこで、本実施形態では、支持部１２０の途中に括れ部１２５を設けることにより、押し出し工程中において、前側の支持部１２０の先端から所定の長さだけ形成される先端部１２１ａが始めに曲げられる（撓む）ことで、支持部１２０の先端Ｐが光学部１１０の中心付近にまで折り曲げられないようにする。また、後側の支持部１２０も括れ部１２５によって先端部１２１ａ側が始めに折り曲げられるので、支持部１２０が光学部１１０上に載せらたとしても、先端部１２１ａの一部のみが光学部１１０の周縁に載せられるに止まり、先端Ｐが光学部１１０の中心まで位置することが避けられる。
【００３３】
これにより、光学部１１０上に支持部１２０が載せられた状態で一体的に折り畳まれても、眼内レンズ１００の射出時の断面積の最大値が増加されにくくなる。つまり、括れ部１２５は先端部１２１ａが最大で曲げられたときに、支持部１２０の先端Ｐが光学部１１０の中心付近を避けた位置に配置されるように作用することとなる。
【００３４】
眼内レンズ１００が挿入部１１に入れられ、さらに挿入部１１の内部の壁面に沿って折り曲げられていく（丸め込まれていく）。そして、挿入部１１の先端から小さく折り曲げられた眼内レンズ１００が眼内に押出される。このとき、光学部１１０に支持部１２０の一部が載せられているが、眼内レンズ１００の断面積の最大値の増加量は制限されているので、眼内レンズ１００を処方する被検者眼の切開創を大きくしなくて済む。
【００３５】
なお、先端部１２１ａが最も曲げられた状態で、さらに眼内レンズ１００に前後方向の力が加えられると、括れ部１２６に力が加わり撓むことで、支持部１２０の全体が折り曲げられ始める。しかし、前後方向に加わる圧力の大部分は、既に括れ部１２５に加えられているので、括れ部１２６を介して支持部１２０全体が曲げられる量は少なくて済む。
【００３６】
眼内レンズ１００が挿入部先端から出始めると、光学部１１０及び支持部１２０が徐々に開放されていく。眼内レンズ１００が嚢内で開放状態になると、支持部１２０の外側（外周）が嚢内に略一致されると共に、括れ部１２６により発生する反発力により支持部１２０を介して眼内レンズ１００が保持される。また、支持部１１０は十分な長さを有しているので、周囲から加えられる同心円状の圧縮に対して嚢内に沿うように自然と撓って接触されるので、光学部１１０の中心位置がずれにくくなり、眼内レンズ１００全体が好適に保持される。
なお、括れ部１２６の位置での支持部１２０の延びの程度は、対向する根元Ｒの先端同士が成す長さが患者眼の嚢の直径以下となるように定められる。
【００３７】
以上のように、支持部１２０に括れ部１２５を設けることにより、良好な嚢内固定を実現するために必要となる長さで支持部１２０を形成しても、眼内レンズ１００の射出時の最大の断面積が増加されにくくなる。これにより、支持部１２０により眼内レンズの嚢内固定を好適に出来ると共に、被検者眼に形成する切開創を小さくできる。
【００３８】
また、上記の例では２箇所の括れ部１２５、１２６が形成された場合を説明したが、支持部１２０に形成される括れ部は３箇所以上であっても良い。例えば、先端部１２１ａの途中に３箇所目の括れ部１２７が形成されているとする。眼内レンズ１００を嚢内に入れると同心円状の力が加えられるが、このとき、括れ部１２５、１２７が同心円状の力に対して撓み反発力を発生させることによって、より支持部１１０が嚢内で好適に接触されるようになる。
【図面の簡単な説明】
【００３９】
【図１】眼内レンズの構成を説明する図である。
【図２】眼内レンズ挿入器具の外観を示した概略説明図である。
【図３】カートリッジの構成図である。
【図４】筒部の外観構成を示した斜視図である。
【図５】眼内レンズの挿入時に支持部先端が光学部上に載せられた状態を示す。
【図６】眼内レンズの構成の変容例を説明する図である。
【符号の説明】
【００４０】
１１０  光学部
１２０  支持部
１２１ａ  先端部
１２１ｂ  後端部
１２５、１２６  括れ部
【図１】
0005522625.tif 000002
【図２】
0005522625.tif 000003
【図３】
0005522625.tif 000004
【図４】
0005522625.tif 000005
【図５】
0005522625.tif 000006
【図６】
0005522625.tif 000007